【事件の表示】
　特許第６１４５５８４号発明「凹凸意匠を有する布帛およびその製造方法」の特許異議申立事件について、次のとおり決定する。
【結　論】
　特許第６１４５５８４号の特許請求の範囲を訂正請求書に添付された訂正特許請求の範囲のとおり、訂正後の請求項〔１−８〕、９、１０について訂正することを認める。
　特許第６１４５５８４号の請求項１〜８に係る特許を維持する。 
【理　由】
第１　手続の経緯
　本件特許第６１４５５８４号（以下「本件特許」という。）の請求項１〜１０に係る特許についての出願は、平成２７年１２月１０日（優先権主張　平成２６年１２月１５日　日本国）を国際出願日とする出願であって、平成２９年５月１９日付けでその特許権の設定登録がされ、その後、特許異議の申立て期間内である平成２９年１２月１４日に特許異議申立人成田忍（以下「申立人」という。）により請求項１〜８に係る特許に対して特許異議の申立てがされ、平成３０年３月１２日付けで取消理由が通知され、その指定期間内である平成３０年５月８日に意見書の提出及び訂正の請求がされたものである。
　なお、特許権者による訂正の請求について、申立人に意見を提出する機会を与えたが、申立人からの意見書の提出はなかった。
第２　訂正の請求
１　訂正の内容 
　平成３０年５月８日付け訂正請求書による訂正の請求は、「特許第６１４５５８４号の特許請求の範囲を、本訂正請求書に添付した訂正特許請求の範囲のとおり、訂正後の請求項１〜１０について訂正する」ことを求めるものであり、その訂正（以下「本件訂正」という。）の内容は、本件特許に係る願書に添付した特許請求の範囲を、次のように訂正するものである（下線は、訂正箇所を示す）。
（１）　訂正事項１
　特許請求の範囲の請求項１に
「繊維からなる布帛の表面側の少なくとも一部にポリウレタン樹脂塗布部を有し、前記ポリウレタン樹脂塗布部に賦型された凹凸意匠を有する布帛であって、」と記載されているのを、
「繊維からなる布帛の表面側の少なくとも一部にポリウレタン樹脂塗布部を有し、前記ポリウレタン樹脂塗布部に賦型された凹凸意匠を有する布帛であって、
　
前記繊維からなる布帛が織物又は編物であり、
　請求項１の記載を引用する請求項２〜８も同様に訂正する。
（２）　訂正事項２
　特許請求の範囲の請求項９に
「前記ポリウレタン樹脂を塗布する対象の布帛が織物であり、前記織物は、前記凹凸意匠を付与する領域において、単位体積１ｍｍ３当たりの繊度の合計が２５００〜５８００ｄｔｅｘである、請求項８に記載の布帛の製造方法。」と記載されているのを、
「
繊維からなる布帛の表面側の少なくとも一部にポリウレタン樹脂塗布部を有し、前記ポリウレタン樹脂塗布部に賦型された凹凸意匠を有する布帛であって、
　
前記ポリウレタン樹脂塗布部は、塗布されたポリウレタン樹脂が存在する領域であって、ポリウレタン樹脂が布帛の少なくとも表面部における繊維間に浸透してポリウレタン樹脂と繊維とにより布帛表面が形成されており、
　
前記ポリウレタン樹脂塗布部は、ポリウレタン樹脂の付与深さが５０〜２００μｍで、且つ、ポリウレタン樹脂の充填率が１５〜４５％で、且つ、繊維の充填率が５０〜８０％である、布帛の製造方法であって、
　
布帛の表面側の少なくとも一部にポリウレタン樹脂を塗布した後、ポリウレタン樹脂塗布部にエンボス加工にて凹凸意匠を賦型する、布帛の製造方法であり、
　前記ポリウレタン樹脂を塗布する対象の布帛が織物であり、前記織物は、前記凹凸意匠を付与する領域において、単位体積１ｍｍ３当たりの繊度の合計が２５００〜５８００ｄｔｅｘである
、
（３）　訂正事項３
　特許請求の範囲の請求項１０に
「前記ポリウレタン樹脂を塗布する対象の布帛が編物であり、前記編物は、前記凹凸意匠を付与する領域において、単位体積１ｍｍ３当たりの繊度の合計が１０００〜５８００ｄｔｅｘである、請求項８に記載の布帛の製造方法。」と記載されているのを、
「
繊維からなる布帛の表面側の少なくとも一部にポリウレタン樹脂塗布部を有し、前記ポリウレタン樹脂塗布部に賦型された凹凸意匠を有する布帛であって、
　
前記ポリウレタン樹脂塗布部は、塗布されたポリウレタン樹脂が存在する領域であって、ポリウレタン樹脂が布帛の少なくとも表面部における繊維間に浸透してポリウレタン樹脂と繊維とにより布帛表面が形成されており、
　
前記ポリウレタン樹脂塗布部は、ポリウレタン樹脂の付与深さが５０〜２００μｍで、且つ、ポリウレタン樹脂の充填率が１５〜４５％で、且つ、繊維の充填率が５０〜８０％である、布帛の製造方法であって、
　
布帛の表面側の少なくとも一部にポリウレタン樹脂を塗布した後、ポリウレタン樹脂塗布部にエンボス加工にて凹凸意匠を賦型する、布帛の製迭方法であり、
　前記ポリウレタン樹脂を塗布する対象の布帛が編物であり、前記編物は、前記凹凸意匠を付与する領域において、単位体積１ｍｍ３当たりの繊度の合計が１０００〜５８００ｄｔｅｘである
、
２　訂正の適否
（１）　訂正事項１について
ア　訂正の目的について
　訂正事項１は、訂正前の請求項１に係る発明の「繊維からなる布帛」について、「前記繊維からなる布帛が織物又は編物であり、」との記載により、繊維からなる布帛の種類を織物又は編物に特定し、限定するものであるから、特許法第１２０条の５第２項ただし書第１号に規定する特許請求の範囲の減縮を目的とするものである。
　同様に、訂正事項１は、訂正後の請求項１を引用する訂正後の請求項２〜８についても上記のとおり減縮しようとするものであるから、特許法第１２０条の５第２項ただし書第１号に規定する特許請求の範囲の減縮を目的とするものである。
イ　実質上特許請求の範囲を拡張し、又は変更する訂正ではないこと
　上記アの理由から明らかなように、訂正事項１は、「繊維からなる布帛」という発明特定事項を「織物又は編物」に特定するものであり、カテゴリーや対象、目的を変更するものではなく、また、訂正後の請求項１を引用する訂正後の請求項２〜８に記載された発明のカテゴリーや対象、目的を変更するものでもない。
　よって、訂正事項１は、実質上特許請求の範囲を拡張し、又は変更するものではなく、特許法第１２０条の５第９項で準用する特許法第１２６条第６項に適合する。
ウ　願書に添付した明細書、特許請求の範囲又は図面に記載した事項の範囲内の訂正であること
　訂正事項１は、願書に添付した明細書の「本実施形態に用いられる処理対象としての布帛、即ち、ポリウレタン樹脂を塗布する対象の布帛は、基布ないし生地とも称される。このような布帛としては特に限定されるものではなく、例えば、織物、編物、不織布など公知の布帛を挙げることができる。」（【００１５】）という記載、「基布としての布帛は、織物の場合、」（【００１９】）という記載、及び、「基布としての布帛は、編物の場合、」（【００２２】）という記載に基づくものである。
　よって、訂正事項１は、願書に添付した明細書、特許請求の範囲又は図面に記載した事項の範囲内のものであり、特許法第１２０条の５第９項の規定によって準用する特許法第１２６条第５項に適合する。
（２）　訂正事項２について
ア　訂正の目的について
　訂正事項２は、訂正前の請求項９の記載が訂正前の請求項８の記載を引用する記載であったものを、請求項間の引用関係を解消し、請求項８の記載を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とする訂正である。
イ　実質上特許請求の範囲を拡張し、又は変更する訂正ではないこと、及び、願書に添付した明細書、特許請求の範囲又は図面に記載した事項の範囲内であること
　訂正事項２は、何ら実質的な内容の変更を伴うものではないから、特許法第１２０条の５第９項で読み替えて準用する特許法第１２６条第５項及び第６項に適合するものである。
ウ　特許出願の際に独立して特許を受けることができること
　訂正事項２は、特許異議の申立てがされていない請求項９に係る訂正であるが、特許法第１２０条の５第２項ただし書第４号に規定する「他の請求項の記載を引用する請求項の記載を当該他の請求項の記載を引用しないものとすること」を目的とする訂正であるため、特許法第１２０条の５第９項で読み替えて準用する特許法第１２６条第７項の独立特許要件は課されない。
（３）　訂正事項３について
ア　訂正の目的について
　訂正事項３は、訂正前の請求項１０の記載が訂正前の請求項８の記載を引用する記載であったものを、請求項間の引用関係を解消し、請求項８の記載を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とする訂正である。
イ　実質上特許請求の範囲を拡張し、又は変更する訂正ではないこと、及び、願書に添付した明細書、特許請求の範囲又は図面に記載した事項の範囲内であること
　訂正事項３は、何ら実質的な内容の変更を伴うものではないから、特許法第１２０条の５第９項で読み替えて準用する特許法第１２６条第５項及び第６項に適合するものである。
ウ　特許出願の際に独立して特許を受けることができること
　訂正事項３は、特許異議の申立てがされていない請求項１０に係る訂正であるが、特許法第１２０条の５第２項ただし書第４号に規定する「他の請求項の記載を引用する請求項の記載を当該他の請求項の記載を引用しないものとすること」を目的とする訂正であるため、特許法第１２０条の５第９項で読み替えて準用する特許法第１２６条第７項の独立特許要件は課されない。
（４）　一群の請求項、別の訂正単位とする求めについて
　訂正事項１に係る訂正前の請求項１〜８について、請求項２〜８は請求項１を引用するものであって、訂正事項１によって記載が訂正される請求項１に連動して訂正されるものである。したがって、訂正前の請求項１〜８は、特許法第１２０条の５第４項に規定する一群の請求項である。
　また、訂正事項２及び３に係る訂正前の請求項９及び１０については、特許権者から、訂正後の請求項９及び１０について訂正が認められるときは一群の請求項〔１−８〕とは別の訂正単位として扱われることの求めがあったことから、訂正後の請求項９及び１０については請求項ごとに訂正されたものとする。
３　まとめ
　以上のとおり、本件訂正は、特許法第１２０条の５第２項ただし書第１号又は第４号に掲げる事項を目的とし、同条第４項並びに同条第９項の規定によって準用する第１２６条第５項及び第６項の規定に適合するので、訂正後の請求項〔１−８〕、９、１０について訂正することを認める。
第３　本件特許発明
　上記のとおり本件訂正が認められるから、本件特許の請求項１〜１０に係る発明（以下「本件発明１〜１０」という。また、これらをまとめて「本件発明」ということもある。）は、訂正請求書に添付された訂正特許請求の範囲の請求項１〜１０に記載された事項により特定されるとおりのものであるところ、本件特許異議の申立ての対象とされた本件発明１〜８は、次のとおりのものである。
【請求項１】
　繊維からなる布帛の表面側の少なくとも一部にポリウレタン樹脂塗布部を有し、前記ポリウレタン樹脂塗布部に賦型された凹凸意匠を有する布帛であって、
　前記繊維からなる布帛が織物又は編物であり、
　前記ポリウレタン樹脂塗布部は、塗布されたポリウレタン樹脂が存在する領域であって、ポリウレタン樹脂が布帛の少なくとも表面部における繊維間に浸透してポリウレタン樹脂と繊維とにより布帛表面が形成されており、
　前記ポリウレタン樹脂塗布部は、ポリウレタン樹脂の付与深さが５０〜２００μｍで、且つ、ポリウレタン樹脂の充填率が１５〜４５％で、且つ、繊維の充填率が５０〜８０％である、布帛。
【請求項２】
　前記ポリウレタン樹脂塗布部における空隙率が１３％以下である、請求項１に記載の布帛。
【請求項３】
　前記ポリウレタン樹脂塗布部における繊維断面の外周長の和が、単位面積１００００μｍ２当たり１５００μｍ以上である、請求項１または２に記載の布帛。
【請求項４】
　前記ポリウレタン樹脂塗布部におけるポリウレタン樹脂の断面積１００μｍ２当たりの繊維の本数が１．５本以上である、請求項１〜３のいずれか１項に記載の布帛。
【請求項５】
　前記ポリウレタン樹脂塗布部は、ポリウレタン樹脂の付与深さが５０〜１００μｍで、且つ、ポリウレタン樹脂の充填率が２０〜３５％で、且つ、繊維の充填率が５５〜７５％である、請求項１〜４のいずれか１項に記載の布帛。
【請求項６】
　前記凹凸意匠を有する布帛の厚みに対する前記ポリウレタン樹脂の付与深さの比が３〜３０％である、請求項１〜５のいずれか１項に記載の布帛。
【請求項７】
　前記凹凸意匠を構成する凹部の幅が２００〜１５００μｍであり、且つ該凹部の深さの最大値が２０〜４５０μｍである、請求項１〜６のいずれか１項に記載の布帛。
【請求項８】
　請求項１〜７のいずれか一項に記載の布帛の製造方法であって、
　布帛の表面側の少なくとも一部にポリウレタン樹脂を塗布した後、ポリウレタン樹脂塗布部にエンボス加工にて凹凸意匠を賦型する、布帛の製造方法。
第４　取消理由について
１　平成３０年３月１２日付け取消理由の概要は以下のとおりである。
［理由１］
　本件特許は、明細書の発明の詳細な説明の記載について下記の点で、特許法第３６条第４項第１号に規定する要件を満たしていない。
［理由２］
　本件特許は、特許請求の範囲の記載が下記の点で不備のため、特許法第３６条第６項第１号に規定する要件を満たしていない。
　　　　　　　　　　　　　　　　　記
理由１について
　本件発明１〜８は、「繊維からなる布帛」を構成要件とするが、本件特許明細書の発明の詳細な説明には、「繊維からなる布帛」に含まれる一部の下位概念である「織物及び編物」についての実施の形態が記載されるのみで、当該実施の形態の記載のみでは、当業者が明細書及び図面の記載並びに出願時の技術常識に基づいて、「織物及び編物」以外の「繊維からなる布帛」について実施をすることができない。
　したがって、本件特許明細書の発明の詳細な説明の記載は、本件発明１〜８について、当業者がその実施をすることができる程度に明確かつ十分に記載したものであるとはいえない。
理由２について
　本件発明１〜８の課題は、本件特許明細書の発明の詳細な説明の【０００６】に記載された、「微細で且つ耐屈曲性および耐摩耗性を有する凹凸意匠が付与された布帛を提供すること」にあると解されるところ、本件発明１〜８の「繊維からなる布帛」という構成に関しては、「繊維からなる布帛」の一部の下位概念である「織物及び編物」を用いた場合の実施の形態が記載されるのみであり、かつ、当該課題を解決することができたことが実施例により裏付けられているものは、当該「織物及び編物」についてのみであって、「織物及び編物」以外の「繊維からなる布帛」についてまで上記課題を解決することができることの裏付けはない。
　よって、「織物及び編物」以外の「繊維からなる布帛」を含み得る本件発明１〜８の範囲まで、発明の詳細な説明に示された内容を拡張ないし一般化できるとすることはできないから、本件発明１〜８に係る請求項１〜８の記載は、特許を受けようとする発明が発明の詳細な説明に記載したものであるとはいえない。
２　取消理由についての判断
（１）　理由１について
　上記第２のとおり、本件訂正が認められることにより、本件発明１〜８は、「繊維からなる布帛が織物又は編物」であることに特定された。
　そして、「繊維からなる布帛」が「織物」である場合については、本件特許明細書の発明の詳細な説明の【００１９】〜【００２１】に記載されており、また、「繊維からなる布帛」が「編物」である場合については、同【００２２】〜【００２７】に記載されており、かつ、同【００６０】〜【００８２】並びに【０１０５】〜【０１０７】の表１〜３に示された実施例１〜７についての記載から、「繊維からなる布帛が織物又は編物」である場合について、本件発明１〜８に係る布帛を製造できることが示されている。
　そうすると、本件特許明細書の発明の詳細な説明の記載は、本件発明１〜８について、当業者がその実施をすることができる程度に明確かつ十分に記載したものであるといえるから、特許法第３６条第４項第１号に規定する要件を満たしていないとすることはできない。
　よって、本件発明１〜８に係る特許は、特許法第１１３条第４号に該当することを理由に取り消されるべきものとすることはできない。
（２）　理由２について
　上記第２のとおり、本件訂正が認められることにより、本件発明１〜８は、「繊維からなる布帛が織物又は編物」であることに特定された。
　そして、「繊維からなる布帛が織物又は編み物」である本件発明１〜８が、「微細で且つ耐屈曲性および耐摩耗性を有する凹凸意匠が付与された布帛を提供する」（【０００６】）という課題を解決できると当業者が認識できるものであることは、本件特許明細書の発明の詳細な説明の【００５６】〜【０１０７】の表１〜３に示された実施例１〜７の記載により裏付けられている。
　そうすると、本件発明１〜８に係る請求項１〜８の記載は、特許を受けようとする発明が発明の詳細な説明に記載したものであるといえるから、特許法第３６条第６項第１号に規定する要件を満たしていないとすることはできない。
　よって、本件発明１〜８に係る特許は、特許法第１１３条第４号に該当することを理由に取り消されるべきものとすることはできない。
第５　取消理由通知において採用しなかった特許異議申立理由について
１　取消理由通知において採用しなかった特許異議申立理由の概要
［理由３］　特許法第３６条第６項第２号違反（特許異議申立書３頁下から１３行〜４頁９行）
　本件発明１〜８の「繊維からなる布帛」について、本件特許明細書の発明の詳細な説明には、「布帛としては特に限定されるものではなく、例えば、織物、編物、不織布など公知の布帛を挙げることができる」（【００１５】）と定義されているが、「織物、編物、不織布など」の「など」がどのような「公知の布帛」を含むのか、その外延が不明確である。よって、本件発明１〜８に係る「繊維からなる布帛」という記載は、「織物、編物、不織布」以外にいかなる「公知の布帛」が含まれるのか不明確であり、技術常識を考慮しても当業者が理解できず、不明確である。
２　上記特許異議申立理由についての判断
　上記第２のとおり、本件訂正が認められることにより、本件発明１〜８は、「繊維からなる布帛が織物又は編物」であることに特定され、「繊維からなる布帛」の範囲が明確にされた。
　よって、本件発明１〜８に係る請求項１〜８の記載は、特許を受けようとする発明が明確であるといえるから、特許法第３６条第６項第２号に規定する要件を満たしていないとすることはできない。
　よって、本件発明１〜８に係る特許は、特許法第１１３条第４号に該当することを理由に取り消されるべきものとすることはできない。
第６　むすび
　以上のとおり、取消理由通知に記載した取消理由及び特許異議申立書に記載した特許異議申立理由によっては、本件発明１〜８に係る特許を取り消すことはできない。
　また、他に本件発明１〜８に係る特許を取り消すべき理由を発見しない。
　よって、結論のとおり決定する。
【異議決定日】
平成３０年８月２日（２０１８．８．２）
【訂正の要旨】
審決（決定）の【理由】欄参照。
（５７）【特許請求の範囲】
　【請求項１】
　繊維からなる布帛の表面側の少なくとも一部にポリウレタン樹脂塗布部を有し、前記ポリウレタン樹脂塗布部に賦型された凹凸意匠を有する布帛であって、
　
前記繊維からなる布帛が織物又は編物であり、
　前記ポリウレタン樹脂塗布部は、塗布されたポリウレタン樹脂が存在する領域であって、ポリウレタン樹脂が布帛の少なくとも表面部における繊維間に浸透してポリウレタン樹脂と繊維とにより布帛表面が形成されており、
　前記ポリウレタン樹脂塗布部は、ポリウレタン樹脂の付与深さが５０〜２００μｍで、且つ、ポリウレタン樹脂の充填率が１５〜４５％で、且つ、繊維の充填率が５０〜８０％である、布帛。
　【請求項２】
　前記ポリウレタン樹脂塗布部における空隙率が１３％以下である、請求項１に記載の布帛。
　【請求項３】
　前記ポリウレタン樹脂塗布部における繊維断面の外周長の和が、単位面積１００００μｍ２当たり１５００μｍ以上である、請求項１または２に記載の布帛。
　【請求項４】
　前記ポリウレタン樹脂塗布部におけるポリウレタン樹脂の断面積１００μｍ２当たりの繊維の本数が１．５本以上である、請求項１〜３のいずれか１項に記載の布帛。
　【請求項５】
　前記ポリウレタン樹脂塗布部は、ポリウレタン樹脂の付与深さが５０〜１００μｍで、且つ、ポリウレタン樹脂の充填率が２０〜３５％で、且つ、繊維の充填率が５５〜７５％である、請求項１〜４のいずれか１項に記載の布帛。
　【請求項６】
　前記凹凸意匠を有する布帛の厚みに対する前記ポリウレタン樹脂の付与深さの比が３〜３０％である、請求項１〜５のいずれか１項に記載の布帛。
　【請求項７】
　前記凹凸意匠を構成する凹部の幅が２００〜１５００μｍであり、且つ該凹部の深さの最大値が２０〜４５０μｍである、請求項１〜６のいずれか１項に記載の布帛。
　【請求項８】
　請求項１〜７のいずれか一項に記載の布帛の製造方法であって、
　布帛の表面側の少なくとも一部にポリウレタン樹脂を塗布した後、ポリウレタン樹脂塗布部にエンボス加工にて凹凸意匠を賦型する、布帛の製造方法。
　【請求項９】
　
繊維からなる布帛の表面側の少なくとも一部にポリウレタン樹脂塗布部を有し、前記ポリウレタン樹脂塗布部に賦型された凹凸意匠を有する布帛であって、
　
前記ポリウレタン樹脂塗布部は、塗布されたポリウレタン樹脂が存在する領域であって、ポリウレタン樹脂が布帛の少なくとも表面部における繊維間に浸透してポリウレタン樹脂と繊維とにより布帛表面が形成されており、
　
前記ポリウレタン樹脂塗布部は、ポリウレタン樹脂の付与深さが５０〜２００μｍで、且つ、ポリウレタン樹脂の充填率が１５〜４５％で、且つ、繊維の充填率が５０〜８０％である、布帛の製造方法であって、
　
布帛の表面側の少なくとも一部にポリウレタン樹脂を塗布した後、ポリウレタン樹脂塗布部にエンボス加工にて凹凸意匠を賦型する、布帛の製造方法であり、
　前記ポリウレタン樹脂を塗布する対象の布帛が織物であり、前記織物は、前記凹凸意匠を付与する領域において、単位体積１ｍｍ３当たりの繊度の合計が２５００〜５８００ｄｔｅｘである
、
　【請求項１０】
　
繊維からなる布帛の表面側の少なくとも一部にポリウレタン樹脂塗布部を有し、前記ポリウレタン樹脂塗布部に賦型された凹凸意匠を有する布帛であって、
　
前記ポリウレタン樹脂塗布部は、塗布されたポリウレタン樹脂が存在する領域であって、ポリウレタン樹脂が布帛の少なくとも表面部における繊維間に浸透してポリウレタン樹脂と繊維とにより布帛表面が形成されており、
　
前記ポリウレタン樹脂塗布部は、ポリウレタン樹脂の付与深さが５０〜２００μｍで、且つ、ポリウレタン樹脂の充填率が１５〜４５％で、且つ、繊維の充填率が５０〜８０％である、布帛の製造方法であって、
　
布帛の表面側の少なくとも一部にポリウレタン樹脂を塗布した後、ポリウレタン樹脂塗布部にエンボス加工にて凹凸意匠を賦型する、布帛の製造方法であり、
　前記ポリウレタン樹脂を塗布する対象の布帛が編物であり、前記編物は、前記凹凸意匠を付与する領域において、単位体積１ｍｍ３当たりの繊度の合計が１０００〜５８００ｄｔｅｘである
、